(57)【要約】【課題】編集処理に関するパラメータをファイル名に含めて記録することによって、画像の劣化が発生しないディジタル画像編集装置を提供すること。【解決手段】画像データを記憶するためのディレクトリ部をもつ記録媒体を用いたディジタル画像編集装置であって、ユーザが行なった編集処理の内容に関するパラメータを決定し、決定されたパラメータを、前記画像データのファイル名に含めて前記ディレクトリ部の一部に記録する。【選択図】        図１９
2006085694.tif 000002
【特許請求の範囲】
【請求項１】
画像データを記憶するためのディレクトリ部をもつ記録媒体を用いたディジタル画像編集装置であって、
ユーザが行なった編集処理の内容に関するパラメータを決定するパラメータ決定手段と、
前記パラメータ決定手段により決定されたパラメータを、前記画像データのファイル名に含めて前記ディレクトリ部の一部に記録する記録手段と、
を具備することを特徴とするディジタル画像編集装置。
【請求項２】
前記記録手段は、前記編集処理の内容に応じて決められた複数の異なるパラメータをそれぞれファイル名に含めて記録するものであり、
それぞれのファイル名に対応する複数の画像データを一画面に表示する表示手段をさらに具備することを特徴とする請求項１記載のディジタル画像編集装置。
【請求項３】
記録媒体に作成されたディレクトリに格納されている画像ファイルを編集した際の当該画像ファイルのファイル名を作成する方法であって、
ユーザが上記画像ファイルの編集を行なった際に、その処理内容をパラメータとして上記画像ファイルのファイル名の一部に付加して、新たな画像ファイル名を作成するようにしたことを特徴とするファイル名を作成する方法。
【請求項４】
上記新たに作成された画像ファイルは、上記ディレクトリに格納するようにしたことを特徴とする請求項３記載のファイル名を作成する方法。
【請求項５】
前記編集処理の内容に応じて決められた複数の異なるパラメータをそれぞれファイル名の一部に付加して記録し、該それぞれのファイル名に対応する複数の画像データを一画面に表示することを特徴とする請求項３または４記載のファイル名を作成する方法。
【発明の詳細な説明】
【技術分野】
【０００１】
本発明はディジタル画像編集装置及び及びファイル名を作成する方法に関するものである。
【背景技術】
【０００２】
従来より、パーソナルコンピュータなどのコンピュータに画像入力装置としての電子カメラや、大容量記憶装置としての光磁気ディスクを接続し、電子カメラで撮像して得られる画像データをパーソナルコンピュータの表示装置に表示させて加工、編集した後、光磁気ディスクに保存したり、光磁気ディスクに記憶した画像データをファイルとして管理することができるディジタル画像編集システムが知られている。
【０００３】
特開平５−１０１１１８号公報は、このようなディジタル画像編集システムにおいて、画像データ、音声データ、テキストデータをパーソナルコンピュータにより単独でまたは同時にファイル管理することができるマルチメディア・ファイリング・システムを開示している。
【特許文献１】特開平５−１０１１１８号公報
【発明の開示】
【発明が解決しようとする課題】
【０００４】
しかしながら、圧縮などにより画像ファイルに何らかの変更を行なった場合には画像の劣化を招いてしまうとともに、劣化した画像を完全に復元することは困難であった。
【０００５】
本発明はこのような課題に着目してなされたものであり、その目的とするところは、編集処理に関するパラメータをファイル名に含めて記録することによって、画像の劣化が発生しないディジタル画像編集装置及びファイル名を作成する方法を提供することにある。
【課題を解決するための手段】
【０００６】
上記の目的を達成するために、本発明の第１の態様は、画像データを記憶するためのディレクトリ部をもつ記録媒体を用いたディジタル画像編集装置であって、ユーザが行なった編集処理の内容に関するパラメータを決定するパラメータ決定手段と、前記パラメータ決定手段により決定されたパラメータを、前記画像データのファイル名に含めて前記ディレクトリ部の一部に記録する記録手段と、を具備する。
【０００７】
また、本発明の第２の態様は、第１の態様において、前記記録手段は、前記編集処理の内容に応じて決められた複数の異なるパラメータをそれぞれファイル名に含めて記録するものであり、それぞれのファイル名に対応する複数の画像データを一画面に表示する表示手段をさらに具備する。
【０００８】
また、本発明の第３の態様は、記録媒体に作成されたディレクトリに格納されている画像ファイルを編集した際の当該画像ファイルのファイル名を作成する方法であって、ユーザが上記画像ファイルの編集を行なった際に、その処理内容をパラメータとして上記画像ファイルのファイル名の一部に付加して、新たな画像ファイル名を作成する。
【０００９】
また、本発明の第４の態様は、第３の態様において、上記新たに作成された画像ファイルは、上記ディレクトリに格納される。
【００１０】
また、本発明の第５の態様は、第３または第４の態様において、前記編集処理の内容に応じて決められた複数の異なるパラメータをそれぞれファイル名の一部に付加して記録し、該それぞれのファイル名に対応する複数の画像データを一画面に表示する。
【発明の効果】
【００１１】
本発明によれば、ユーザが行なった編集処理情報（例えば、色補正や画像回転）の内容をファイル名に含めて記録するようにしている。したがって、画像ファイル本体には何ら変更を加えないので圧縮を行なうごとに画像の劣化を招くことはなく完全に元の画像を復元することが可能である。
【００１２】
また、異なるパラメータで色補正した画像を複数種類実際に画面に表示し、この中からユーザに選択させるようにしたので、ユーザは補正後の画像を実際に見て選択することができる。また、パラメータを１つ指定して色を補正する処理を行ない、次に別のパラメータを１つ指定して色を補正する処理を行なうのではなく、色補正後の画像を複数同時に表示してユーザに選択させるようにしたのでユーザが色補正を行なうのに要する時間を大幅に短縮することができる。
【発明を実施するための最良の形態】
【００１３】
以下、図面を参照して本発明の実施形態を詳細に説明する。図１は、本発明のディジタル画像編集装置を適用したディジタル画像編集システムの構成を示す図である。本編集システムの基本構成として、ディジタル画像編集装置７にディジタルカメラ１またはスマートメディアやコンパクトフラッシュ（登録商標）カードなどの記録媒体（以下ではメモリカードと呼ぶ）２と、テレビ４とが接続される。なお、ここではディジタルカメラ１に内蔵されているメモリも記録媒体に含めるものとする。この構成によって、ディジタルカメラ１で撮影した画像あるいはメモリカード２に記録した画像をディジタル画像編集装置７の制御のもとに短時間（ここでは５秒前後）で自動的にテレビ４の画面に表示することができる。この場合、表示する画像の指定や画像の編集はリモコン３を操作することにより行なわれる。
【００１４】
上記した基本構成にさらにＳＣＳＩなどのインタフェースを介して電子アルバム装置５をディジタル画像編集装置７に接続した構成も可能である。電子アルバム装置５の記録媒体としてはＭＯ、ＰＤ、ＺＩＰディスクなどを用いることができる。この構成によって、ディジタルカメラ１で撮影した画像やメモリカード２に記録した画像をテレビ４の画面に表示させた後、リモコン３を操作して電子アルバム装置５に一括あるいは分割してフォルダの形態で保存することができる。逆に、電子アルバム装置５に保存した画像をディジタルカメラ１やメモリカード２に記録することができる。また、リモコン３の操作により電子アルバム装置５に保存した画像をテレビ４の画面に表示させて画像の指定や画像の編集を行なうことができる。また、電子アルバム装置５が複数台接続されている場合には電子アルバム装置５から他の電子アルバム装置に画像を転送して保存することができる。さらに、電子アルバム装置５に保存した画像をパーソナルコンピュータに転送して表示させることも可能である。
【００１５】
上記した基本構成、あるいは、上記した基本構成に電子アルバム装置５を加えた構成、に加えてさらにシリアル、ＳＣＳＩ、あるいはパラレルインタフェースを介してプリンタ６をディジタル画像編集装置７に接続した構成も可能である。この構成によって、ディジタルカメラ１、メモリカード２、あるいは電子アルバム装置５に記録した画像を適宜読み出してテレビ４に表示させ、リモコン３からの指令によりこの画像をプリンタ６により印刷することができる。
【００１６】
図２（Ａ）、（Ｂ）は上記したディジタル画像編集装置７の外観斜視図であり、（Ａ）は前面を示し、（Ｂ）は背面のようすを示している。図２（Ａ）に示すように、ディジタル画像編集装置７の前面には、ディジタルカメラ１を接続するための接続コネクタ１０、リモコン３からの赤外線を受光するリモコン受光口１１、メモリカード２が挿入されたことを認識する認識ランプ１２、メモリカード２を取り出すためのイジェクトボタン１３、メモリカード２用のドライブ１４、電源ランプ１５、電源スイッチ１６が設けられている。
【００１７】
また、図２（Ｂ）に示すように、ディジタル画像編集装置７の背面には、テレビ４を接続するためのビデオ出力端子２０、ＳＣＳＩインタフェースを識別するためのＩＤ１（２１−１）、ＩＤ２（２１−２）、電子アルバム装置５を接続するためのＭＯドライブ接続部２２、プリンタ６を接続するためのプリンタ接続用コネクタ２３、外部電源を装置内部に供給するためのＤＣ端子２４が設けられている。
【００１８】
図３は上記したディジタル画像編集装置７の内部構成を示す機能ブロック図である。ＣＰＵ３４には、リモコン受光口１１が接続された赤外線リモコン受信部３０と、接続コネクタ（シリアルコネクタ）１０が接続されたシリアルドライバ３１と、プリンタ接続用コネクタ２３が接続されたシリアルドライバ３２と、ＤＣ端子２４が接続された電源供給ユニット３３とが接続されている。
【００１９】
さらにＣＰＵ３４には、バス４１を介して画像編集用のソフトウェアが格納されたＲＯＭ３５と、画像データを一時的に蓄えるためのＲＡＭ３７と、画像データをＪＰＥＧ方式で伸長するためのＪＰＥＧ伸長ＩＣ３６と、ＭＯドライブ接続部（ＳＣＳＩ端子）２２が接続されたＳＣＳＩコントローラ３９と、ビデオ出力端子２０が接続されたビデオコントローラ４０と、メモリカードインタフェース３８とが接続されている。電源スイッチ１６がＯＮされると電源供給ユニット３３によりＣＰＵ３４に電源が供給される。また、電源スイッチ１６がＯＦＦされた場合にはソフトウェアにより電源の供給を停止するタイミングが判断されてＣＰＵ３４により電源供給の停止を許可する信号が電源供給ユニット３３に送られる。
【００２０】
図４はメモリカード２または電子アルバム装置５に挿入されたＭＯディスク５−１に記録された画像データが読み出されてテレビ４の画面に表示されるまでの過程を示す図である。メモリカード２に記録された画像データは物理ページデータ５１としてメモリカードポート５０（メモリカードインタフェース３８）を介してＣＰＵ３４に取り込まれる。この物理ページデータに対してＥＣＣを計算することによるエラー修正等が行なわれマッピングにより論理セクタデータに変換（５２）される。この論理セクタデータは圧縮されてＪＰＥＧ伸長ＩＣ３６に送られて伸長処理５４が施された後、再びＣＰＵ３４に取り込まれてＪＰＥＧの画像処理単位であるＭＣＵ（ミニマムコーディングユニット）に分割される（５５）。このＭＣＵ単位の画像データはＲＡＭ３７に一時的に保管される。次にＭＣＵ単位の画像データにおける輝度と色信号をＹＵＶ表示系からテレビ表示可能なＲＧＢ表示系に変換するとともに、表示画面の縮小や回転処理を施して描画データが生成される（５６）。この描画データはビデオコントローラ（ＶＤＰ）４０のＶＲＡＭに取り込まれ（５７）、ビデオ出力端子２０から出力されてテレビ４の画面に表示される。
【００２１】
以上はメモリカード２の画像データを表示する場合について述べたが、ＭＯディスク５−１に記憶された画像データを読み出して表示する場合は、電子アルバム装置５内でエラー修正等が行われた後、ＳＰＣ（ＳＣＳＩプロトコルコントローラ）５３（ＳＣＳＩコントローラ３９）を介してＣＰＵ３４に取り込まれて論理セクタデータへの変換が行なわれる。以降の処理はメモリカード２の場合と全く同様の処理となる。
【００２２】
また、メモリカード２やＭＯディスク５−１に画像データを記録する処理はブロック６０内で行なわれるが、このときの処理の流れは読み出すときの処理と全く逆になる。
【００２３】
図５は上記したリモコン３に設けられた各種のボタンを示す図である。参照符号７０−１〜７０−４で示すボタンはカーソルの移動やメニューの選択などに用いられる。参照符号７１で示すボタンは表示する画像やメニューの確定などを行なうためのＯＫボタンである。参照符号７２は一つ前の画面に戻るために用いられる。また、動作をいったん取りやめるためにも用いられる。参照符号７３−１，７３−２で示すボタンは表示している画像のコマ送りや、メモリカード／ディジタルカメラ／ＭＯディスクドライブ間の画面の切り換えを行なうときに用いられる。また、参照符号７４−１，７４−２で示すボタンは画像の１枚表示とインデックス表示用として用いられる。すなわち、７４−１は１枚表示のときには表示した画像を縮小して１６分割に表示したり、拡大した画像を元の大きさに戻す。インデックス表示のときにはカットした画像を挿入するのに用いられる。また、７４−２は１枚表示のときには表示した画像を拡大したり、縮小した画像を元の大きさに戻すために用いられる。インデックス表示の場合には移動、コピー、削除する画像を選択（カット）するのに用いられる。参照符号７５で示すボタンはメニューボタンであり、メニューの表示を行なうために用いられる。参照符号７６で示すボタンは表示した画像を時計回りに９０度単位で回転させるために用いるものである。
【００２４】
図６は上記したリモコン３をテレビ操作用のリモコン８０の裏面に両面テープなどにより貼り合わせた状態を示す図である。リモコン３は単独で操作することもできるが、図６に示すようにテレビ操作用のリモコン８０の裏面に両面テープなどで貼り合わせることにより一体化してもよい。このようにすることにより比較的小型のリモコン３をユーザが紛失してしまうのを防止することができる。
【００２５】
次に、以上のような構成のディジタル画像編集システムにおける画像編集装置７の動作をより詳細に説明する。
【００２６】
電源ＳＷ１６がオン操作されてＣＰＵ３４に電源が供給されると、ＣＰＵ３４は、ＲＯＭ３５に記憶された図７（Ａ）に示すような画像編集用ソフトウェアに従った動作を開始する。
【００２７】
即ち、まず、図７（Ｂ）に示すようにテレビ４の画面の左下にディジタルカメラ（デジカメ）１のアイコン２０１、メモリカード２のアイコン２０２、ＭＯディスク５−１のアイコン２０３を、タグ形式で表示する（ステップＳ１）、そして、接続されている機器，媒体を検出する（ステップＳ２）。
【００２８】
ここで、ディジタルカメラ１が接続されていた場合には（ステップＳ３）、ディジタルカメラ処理を行い（ステップＳ４）、メモリカード２が挿入されていた場合には（ステップＳ５）、メモリカード処理を行う（ステップＳ６）。また、ＭＯディスク５−１が電子アルバム装置５としてのＭＯドライブに挿入されていた場合には（ステップＳ７）、ＭＯ処理を行う（ステップＳ８）。そして、これらディジタルカメラ処理，メモリカード処理，ＭＯ処理終了後は、上記ステップＳ２に戻ることで、媒体の交換に対処することができるようになっている。
【００２９】
上記ステップＳ４でのディジタルカメラ処理及びステップＳ６でのメモリカード処理は、図８に示すようにして行われる。
【００３０】
即ち、まず、ディジタルカメラ１又はメモリカード２内の画像データを取得してＲＡＭ３７に格納する（ステップＳ１１）。そして、取得した画像データにサムネイル情報が含まれているかどうか判別し（ステップＳ１２）、含まれていれば、そのサムネイル情報によって図９（Ａ）又は（Ｂ）に示すようなインデックス表示を行う（ステップＳ１３）。
【００３１】
このとき、テレビ４の画面上においては、上記アイコン２０１〜２０３が下方から上方に向けて移動しはじめ、それにつれて縮小画像が行毎に表示されていく。また、現在の表示画像がどの媒体に記憶されているものかを示すために、対応するアイコンが識別表示される。例えば、ディジタルカメラ１のアイコン２０１においては、レンズカバーが開いた状態の絵柄に変化し（図９（Ａ））、メモリカード２のアイコン２０２では、媒体が傾いた状態の絵柄に変化する（図９（Ｂ））。その他、色や濃度を変えることで識別表示できる。
【００３２】
なお、このインデックス表示においては、所定位置（図９（Ａ）では左欄位置）に、当該機器又は媒体に収録されている画像の枚数と１枚目の画像の日付とが表紙２０３として表示される。よって、インデックス表示においては、１９枚の縮小画像が表示される。１９枚以上の画像が収録されている場合には、リモコン３の移動ボタン７０−１〜７０−４の操作によりカーソル（赤枠で示される）２０４を画面下端の位置の画像位置まで移動させた後、更に下移動ボタン７０−４を操作することで、次の５枚の縮小画像を表示できるようになっている。このとき、表紙２０３はそのままに、１枚目から５枚目までの縮小画像の表示が消去されて、６枚目乃至１９枚目の縮小画像がそれぞれ５枚分移動される。
【００３３】
また、上記のようにアイコンが上方に移動するとき、上記ステップＳ２でのチェックにおいて接続又は挿入されていない機器，媒体のアイコンは元の左下の位置に残される。従って、もしＭＯドライブが接続されていない（ＭＯディスク５−１が挿入されていない）ならば、図９（Ｃ）に示すように、ディジタルカメラ１のアイコン２０１とメモリカード２のアイコン２０２のみが上方に移動する。
【００３４】
さらに、全ての機器，媒体が接続又は挿入されている場合には、前述したように、全てのアイコン２００〜２０２が左上位置まで移動されるものであるが、インデックス表示されるのは所定の或いはユーザが選択したアイコンに対応する機器，媒体に保存されている画像であり、その他の機器，媒体の画像は、そのアクティブなインデックス表示された画像の後側に隠れるので見えない（実際には、機器，媒体の選択に応じて切換え表示される）。また、媒体の交換等によって画像内容が更新されたときには、その媒体の画像に対応する縮小画像がアクティブなインデックス表示として切換え表示されることになる。
【００３５】
一方、上記ステップＳ１２において、サムネイル情報が含まれていないと判断した場合には、取得した各画像データより縮小画像を作成して（ステップＳ１４）、インデックス表示を行う（ステップＳ１５）。
【００３６】
その後、カーソル２０４がインデックス表示中の表紙２０３の位置にあるかどうかを判別する（ステップＳ１６）。そして、表紙位置にカーソル２０４が有れば、詳細は後述するようなリモコン操作処理１を行った後（ステップＳ１７）、上位のルーチンに戻る。
【００３７】
また、上記ステップＳ１６で、カーソル２０４が表紙位置に無いと判断された場合には、更に、カーソル２０４が一枚の縮小画像の位置に有るかどうか判断する（ステップＳ１８）。カーソル２０４は、表紙位置又は何れかの縮小画像位置に無ければならないため、これらの位置にも無いときにはエラー処理に進む。
【００３８】
カーソル２０４が一枚の縮小画像の位置に有れば、リモコン３のＯＫボタン７１が操作されるのを待って（ステップＳ１９）、その縮小画像に対応する一枚画像をテレビ４の画面に全画面表示する（ステップＳ２０）。そして、詳細は後述するようなリモコン操作処理２を行う（ステップＳ２１）。その後、元のインデックス表示に戻して（ステップＳ２２）、上位のルーチンに戻る。
【００３９】
上記ステップＳ１７のリモコン操作処理１は、図１０に示すようにして行われる。
【００４０】
即ち、リモコン３のカットボタン７４−２が操作されると（ステップＳ３１）、表示されている全ての縮小画像にマークが付加される（ステップＳ３２）。これは、特に図示はしないが、画像内に「マーク」という文字が表示される。なお、このマークは、もう一度カットボタン７４−２を操作することで取り消すことができる。そして、リモコン３のメニューボタン７５のオンを待って（ステップＳ３３）、図示しないメニューを表示してＭＯディスク５−１へのコピー又はプリンタ６でのプリントの何れを行うかの選択を受け付けて、何れが選択されたか判断する（ステップＳ３４）。ＭＯディスク５−１へのコピーであれば、上記マークの付された全縮小画像に対応するＲＡＭ３７に記憶された画像をＭＯディスク５−１へコピーして（ステップＳ３５）、上位のルーチンへ戻る。また、プリントであれば、上記マークの付された全縮小画像に対応するＲＡＭ３７に記憶された画像をプリンタ６でプリントした後（ステップＳ３６）、上位のルーチンへ戻る。なお、上記ステップＳ３２では、表示されている画像に対してマークを付すものとしたが、その表紙に対応する、表示されていない画像も含めた、全ての画像に対してマークを付すものとしても良いことは勿論である（以下、同様）。
【００４１】
また、リモコン３の画像回転ボタン７６が操作された場合には（ステップＳ３７）、表示されている全ての縮小画像を９０度時計回りに回転表示した後（ステップＳ３８）、上位のルーチンへ戻る。なおこのとき、それら縮小画像に対応するＲＡＭ３７に記憶された画像そのものは回転されず、当該画像に対応する方向を示すパラメータを変更する。この回転方向に関するパラメータは、他のパラメータ同様、詳細は後述するような符号化手法により、当該画像のファイル名に組み込まれる。
【００４２】
また、リモコン３のメニューボタン７５が操作された場合には（ステップＳ３９）、詳細は後述するようなメニュー処理１を実行した後（ステップＳ４０）、上位のルーチンへ戻る。
【００４３】
そして、リモコン３のＯＫボタン７１が操作された場合には（ステップＳ４１）、アルバム表示処理を行って（ステップＳ４２）、上位のルーチンへ戻る。このアルバム表示処理においては、図９（Ｄ）に示すように、アルバムの台紙状の背景画像上に、縮小画像を４枚ずつ表示するものである。
【００４４】
また、上記カットボタン７４−２、画像回転ボタン７６、メニューボタン７５、ＯＫボタン７１が操作されなかったときには、上位のルーチンに戻る。
【００４５】
上記メニューボタン７５操作に応じたステップＳ４０でのメニュー処理１においては、まず、図示しない所定のメニュー画面を表示して、リモコンの移動ボタン７０−１〜７０−４の操作及びＯＫボタン７１操作によるメニュー選択を受け付ける。そして、その選択されたメニューに応じた処理を行うものである。
【００４６】
即ち、図１１（Ａ）に示すように、スライドショーが選択された場合には（ステップＳ５１）、所定時間毎に画像を順次一枚ずつ全画面表示していくスライドショーを実行する（ステップＳ５２）。
【００４７】
また、日付表示が選択された場合には（ステップＳ５３）、各縮小画像に日付を表示し（ステップＳ５４）、時刻表示が選択された場合には（ステップＳ５５）、各縮小画像に時刻を表示する（ステップＳ５６）。ここで、日付及び時刻の情報は、パラメータの一つとして対応する各画像データのファイル名に符号化されて付加される。通常は、撮影日時のデータである。
【００４８】
そして、上記スライドショー，日付表示，時刻表示が選択されていない場合には、つまりプリントが選択されたときであるので、表示している全縮小画像を１枚の用紙にインデックスプリントを行って（ステップＳ５７）、上位のルーチンに戻る。
【００４９】
次に、画像一枚の全画像表示時の上記ステップＳ２１でのリモコン操作処理２について、図１２のフローチャートを参照して説明する。
【００５０】
即ち、リモコン３の画像回転ボタン７６が操作された場合には（ステップＳ６１）、表示されている画像を９０度時計回りに回転表示した後（ステップＳ６２）、上位のルーチンへ戻る。なおこのとき、前述したように、ＲＡＭ３７に記憶された画像そのものは回転されず、当該画像に対応する方向を示すパラメータを変更するものである。
【００５１】
また、リモコン３のメニューボタン７５が操作された場合には（ステップＳ６３）、詳細は後述するようなメニュー処理２を実行した後（ステップＳ６４）、上位のルーチンへ戻る。
【００５２】
リモコン３の送りボタン７３−１，７３−２が操作された場合には（ステップＳ６５）、現在一枚表示している画像の前画像或いは後画像を一枚全画面表示する（ステップＳ６６）。その後、上位のルーチンへ戻る。
【００５３】
リモコン３のズームボタン７４−１，７４−２が操作された場合には（ステップＳ６７）、拡大／縮小処理を行って、その画像を拡大表示又は縮小表示する（ステップＳ６８）。そして、上位のルーチンへ戻る。
【００５４】
リモコン３の移動ボタン７０−１〜７０−４が操作された場合には（ステップＳ６９）、表示部分の移動を行う（ステップＳ７０）。即ち、拡大表示された画像は、元画像の一部しか表示していないので、移動ボタンの操作に応じて、その方向の部分を表示する。その後、上位のルーチンへ戻る。
【００５５】
そして、リモコン３の戻るボタン７２の操作を判定する（ステップＳ７１）。それが操作されなければ上記ステップＳ６１に戻り、それが操作されたときには、上位のルーチンに戻る。
【００５６】
上記メニューボタン７５操作に応じたステップＳ６４でのメニュー処理２においては、まず、図示しない所定のメニュー画面（上記メニュー処理１でのメニュー画面とはいくつかメニューが異なっている）を表示して、リモコンの移動ボタン７０−１〜７０−４の操作及びＯＫボタン７１操作によるメニュー選択を受け付ける。そして、その選択されたメニューに応じて、図１１（Ｂ）に示すような処理を行う。この図１１（Ｂ）は、簡略化のため、図１１（Ａ）と同様の部分については省略してある。即ち、該メニュー処理２では、ステップＳ５１乃至ステップＳ５６は上記メニュー処理１と同様である。但しこの場合は、日付及び時刻の表示は、当該一枚表示された画像についてのみ行われる。
【００５７】
そして、上記スライドショー，日付表示，時刻表示が選択されていない場合には、次に、色補正が選択されたかどうか判定する（ステップＳ５８）。色補正が選択された場合には、詳細は後述するような色補正処理を行って（ステップＳ５９）、上位のルーチンに戻るようにしている。また、色補正が選択されなかった場合には、プリントが選択されたことであるので、表示している当該画像をプリントして（ステップＳ５７）、上位のルーチンに戻る。
【００５８】
次に、上記ステップＳ８でのＭＯ処理について、図１３のフローチャートを参照して説明する。
【００５９】
即ち、まず、ＭＯディスク５−１内の画像データを取得してＲＡＭ３７に格納する（ステップＳ８１）。このとき、ＭＯディスク５−１には、複数のディレクトリを設けることができ、それぞれに画像データが複数保存されることができるので、ここでは、最初の４つのディレクトリからそれぞれ最初の４枚分の画像を取り出す。そして、これら取得した各画像データより縮小画像を作成して、一つのフォルダを一行としてそれらを表示することで、図１４（Ａ）に示すようなマルチインデックス表示を行う（ステップＳ８２）。
【００６０】
ここで、デフォルトとして該ＭＯディスクが指定されているときには、前述したように、上記アイコン２０１〜２０３が下方から上方に向けて競り上がっていき、それにつれて縮小画像が行毎に表示されていくことになる。また、デフォルトとしてディジタルカメラ１やメモリカード２が指定されているときには、マルチインデックス表示は、それらディジタルカメラ１又はメモリカード２の内容を示すインデックス表示の後ろに隠れるため、表示はされない。従って、このマルチインデックス表示は、リモコン３の送りボタン７３−１，７３−２の操作によってＭＯディスク５−１が選択されたときに初めて作成するものとしても良いが、ここでは、上記ステップＳ４でのディジタルカメラ処理やステップＳ６でのメモリカード処理に続けて、ここで表示データを作成してメモリしておくものとする。また、ＭＯディスク５−１が交換された場合においては、その交換に応じて、ディジタルカメラ１又はメモリカード２のインデックス表示から自動的に、このＭＯディスク５−１のマルチインデックス表示に切換えられるものとする（同様に、メモリカード２が交換された場合においては、その交換に応じて、ディジタルカメラ１のインデックス表示やＭＯディスク５−１のマルチインデックス表示から自動的にメモリカード２のインデックス表示に切換えられる）。
【００６１】
なお、このマルチインデックス表示においても、各行の所定位置（図１４（Ａ）では左位置）に、当該ディレクトリに収録されている画像の枚数と１枚目の画像の日付とが表紙２０３として表示される。また、このマルチインデックス表示においては、４つのディレクトリの縮小画像が表示されるが、それ以上のディレクトリが存在する場合には、リモコン３の移動ボタン７０−１〜７０−４の操作によりカーソル２０４を画面下端の位置の画像位置まで移動させた後、更に下移動ボタン７０−４を操作することで、次のディレクトリの画像を読出して縮小画像を表示できるようになっている。このとき、一番上の行の表示は消去されて、２行目乃至４行目の縮小画像がそれぞれ一行分上に移動される。
【００６２】
こうしてマルチインデックス表示がなされた後、カーソル２０４がマルチインデックス表示中の何れかの表紙２０３の位置にあるかどうかを判別する（ステップＳ８３）。そして、カーソル２０４が表紙位置に無い、即ち一枚の縮小画像の位置に有る場合には、リモコン３のＯＫボタン７１が操作されるのを待って（ステップＳ８４）、その縮小画像に対応する一枚画像をテレビ４の画面に全画面表示する（ステップＳ８５）。そして、前述したようなリモコン操作処理２を行う（ステップＳ８６）。その後、元のマルチインデックス表示に戻して（ステップＳ８７）、上記ステップＳ８３に戻る。
【００６３】
これに対して、カーソル２０４が何れかの表紙２０３の位置にある場合には、次に、リモコン３のＯＫボタン７１が操作されたかどうか判断する（ステップＳ８８）。ＯＫボタン７１が操作された場合には、図１４の（Ａ）に示すように、当該表紙に対応するディレクトリの内容をインデックス表示し（ステップＳ８９）、該インデックス表示において、前述したようなリモコン操作処理１が実行されることができる（ステップＳ９０）。その後、上記ステップＳ８３に戻る。
【００６４】
また、ＯＫボタン７１が操作されなかった場合には、次に、リモコン３の画像回転ボタン７６が操作されたかどうか判断する（ステップＳ９１）。そして、その画像回転ボタン７６が操作されたときには、当該表紙に対応する全縮小画像及び対応ディレクトリ内全画像ファイルを回転した後（ステップＳ９２）、上記ステップＳ８３に戻る。なお、この場合も、前述したように、画像そのものではなくて、パラメータのみが変更される。
【００６５】
画像回転ボタン７６が操作されなかった場合には、次に、リモコン３のカットボタン７４−２が操作されたかどうか判断する（ステップＳ９３）。そして、そのカットボタン７４−２が操作されたときには、当該表紙に対応する全縮小画像にマークを付加した後（ステップＳ９４）、上記ステップＳ８３に戻る。
【００６６】
カットボタン７４−２が操作されなかった場合には、次に、リモコン３のメニューボタン７５が操作されたかどうか判断する（ステップＳ９５）。そして、そのメニューボタン７５が操作されたときには、以下のようなメニュー操作処理を行った後（ステップＳ９６）、上記ステップＳ８３に戻る。また、このメニューボタン７５も操作されなかったときには、上位のルーチンに戻る。
【００６７】
上記ステップＳ９６のメニュー操作処理においては、図１４（Ｃ）に示すように、まず、マークが何れかの縮小画像に対して付加されているかどうかを判断し（ステップＳ１０１）、マークが付加されていない場合には、前述したようなメニュー処理１を行ってから（ステップＳ１０２）、上位のルーチンに戻る。
【００６８】
これに対して、何れかの縮小画像にマークが付加されていた場合には、図示しない所定のメニュー画面（上記メニュー処理１又は２でのメニュー画面とはいくつかメニューが異なっている）を表示して、リモコンの移動ボタン７０−１〜７０−４の操作及びＯＫボタン７１操作によるメニュー選択を受け付ける。そして、その選択されたメニューがコピーであれば（ステップＳ１０３）、マークが付加された画像のコピーを行って（ステップＳ１０４）、上位のルーチンに戻る。
【００６９】
ここで、コピー動作は、リモコンの移動ボタン７０−１〜７０−４の操作及びＯＫボタン７１操作により、コピーしたい位置のディレクトリと画像位置（マルチインデックス表示上のＸ，Ｙ座標）を指定することで、マークが付加された縮小画像がその位置に表示され、また、対応する画像ファイルがＭＯディスク５−１上でコピーされるものである。この場合、コピーによってコピー先のディレクトリ内の画像ファイルの並び順番が変わるので、コピー先の位置の画像以降のファイル名が変更される。これは、画像の順番もパラメータの一つとして符号化されてファイル名に組み込まれるからである。
【００７０】
また、上記ステップＳ１０３でコピーではないと判断されたときには、次に、選択されたメニューは削除であるかどうかを判定する（ステップＳ１０５）。削除が選択されたときには、マークが付加された画像の削除を行って（ステップＳ１０６）、上位のルーチンに戻る。この場合も、上記コピーの場合と同様に、ＭＯディスク５−１上の対応画像ファイルが削除されて、それ以外の画像ファイルのファイル名が適宜変更される。
【００７１】
そして、削除でもない場合には、プリントが選択されたということであるので、マークが付加された縮小画像をインデックスプリントした後（ステップＳ１０７）、上位のルーチンに戻る。
【００７２】
図１５はテレビ画面に表示された画像に対する色補正処理について説明するためのブロック図である。
【００７３】
まず、図１６のフローチャートを参照して全画面表示の手順を説明する。ステップＳ５０１で電子アルバム装置５に記憶されているファイル名から色補正パラメータを取り出す。次にＭＯディスク１００から指定された画像ファイルを読み出し（ステップＳ５０２）、ＪＰＥＧ伸長部１０１においてＪＰＥＧ方式による伸長処理を施す（ステップＳ５０３）。次に色フォーマット変換部１０２においてＹＵＶ表示系からＲＧＢ表示系への変換を行なう（ステップＳ５０４）。次に、色補正部１０３において色補正を施して色補正された信号Ｒ’，Ｇ’，Ｂ’を得る。次にビデオコントローラ１０４により描画処理（ステップＳ５０６）を行なうことによりテレビ１０６の画面に全画面表示がなされる。この後はユーザからのリモコン入力待ちとなる（ステップＳ５０７）。ここでユーザがメニュー画面を開いて色補正を選択した場合には後述する色見本描画処理に移行する。また、他の入力の場合には対応する処理を行なう。
【００７４】
図１７は上記した色見本描画処理の詳細を説明するためのフローチャートである。まず、色変換パラメータに関するテーブルを作成する（ステップＳ５１１）。次に初期値として変数ｉに１を代入する（ステップＳ５１２）。次にＭＯディスク１００から指定された画像ファイルを読み出し（ステップＳ５１４）、ＪＰＥＧ伸長部１０１においてＪＰＥＧ方式による伸長処理を施す（ステップＳ５１５）。次に色フォーマット変換部１０２においてＹＵＶ表示系からＲＧＢ表示系への変換を行なう（ステップＳ５１６）。次に、色補正部１０３では上記のステップＳ５１１において作成したテーブルを参照して置換することにより色補正を行なって色補正された信号Ｒ’，Ｇ’，Ｂ’を得る。次にテレビ画面の座標（Ｘｉ，Ｙｉ）の位置に描画する。ｉ＝１を代入しているのでこの場合は座標（Ｘ１，Ｙ１）の位置にパラメータが−２の画像が描画される。次に、ｉを１インクリメントし（ステップＳ５１８）、ｉが５よりも小さいかどうかを判断し（ステップＳ５１９）、ＹＥＳの場合はステップＳ５１３〜Ｓ５１６を実行して座標（Ｘ２，Ｙ２）の位置に描画する。同様にして、座標（Ｘ３，Ｙ３）、座標（Ｘ４，Ｙ４）、座標（Ｘ５，Ｙ５）の位置にパラメータがそれぞれ−１、０、＋１、＋２の画像の描画を行なう。上記した処理により図１８に示すように、パラメータの異なる５つの画像がその一部が重ね合わされた状態で表示される。そして、ｉが５より大きくなったときにステップＳ５１９の判断がＮＯとなって色選択処理に移行する。５００はポインタである。
【００７５】
図２０は上記した色選択処理の詳細を説明するためのフローチャートである。まず、テレビ画面内のポインタを現在の設定画像の下に表示し（ステップＳ５３１）、ユーザからのリモコン入力があるまで待機する（ステップＳ５３２）。ユーザからのリモコン入力があったときには押されたボタンに応じた処理を行なう。すなわち、図５のボタン７０−１又は７３−１が押された場合にはポインタが画面の左端にあるかどうかを判断してＹＥＳの場合にはステップＳ５３２に移行する。ＮＯの場合にはポインタを１つ左に移動（ステップＳ５３４）してからステップＳ５３２に移行する。また、図５のボタン７０−２又は７３−２が押された場合にはポインタが右端にあるかどうかを判断してＹＥＳの場合にはステップＳ５３２に移行する。ＮＯの場合にはポインタを１つ右に移動（ステップＳ５３６）してからステップＳ５３２に移行する。また、ボタン７６が押された場合にはこのフローを終了（ステップＳ５３７）して図１６のスタートに戻り、パラメータの変更なしで全画面表示を行なう。
【００７６】
また、ＯＫボタン７１が押された場合にはポインタがある位置でユーザが選択したパラメータを確定する処理を行なう（ステップＳ５３８）とともに、当該パラメータを画像ファイルに記録（ステップＳ５３９）した後、このフローを終了（ステップＳ５４０）して図１６のスタートに戻り、決定（選択）されたパラメータで全画面表示を行なう。また、上記したボタン以外のボタンが押された場合には何ら処理を行なわないでステップＳ５３２に移行する。
【００７７】
なお、本実施形態ではパラメータを画像ファイルに記録する場合に、パラメータｉをファイル名の一部として用いることにより符号化して保存するようにしている。図１９はファイル名の一部にパラメータに応じたアルファベットを用いてファイル名を変更して記憶するときの例を示している。例えば、−２のパラメータがユーザにより選択された場合には、“ＰＩＣ０００１Ａ．ＪＰＧ”というファイル名で画像データが記録される。また、−１のパラメータがユーザにより選択された場合には、“ＰＩＣ０００１Ｂ．ＪＰＧ”というファイル名で画像データが記録される。以下、同様である。
【００７８】
このように本実施形態では、ユーザが行なった編集処理（上記の例では色補正だが画像回転などの処理についても同様である）の内容をファイル名に含めて記録するようにしている。したがって、画像ファイル本体には何ら変更を加えないので圧縮を行なうごとに画像の劣化を招くことはなく完全に元の画像を復元することが可能である。
【００７９】
また、異なるパラメータで色補正した画像を複数種類実際に画面に表示し、この中からユーザに選択させるようにしたので、ユーザは補正後の画像を実際に見て選択することができる。また、パラメータを１つ指定して色を補正する処理を行ない、次に別のパラメータを１つ指定して色を補正する処理を行なうのではなく、色補正後の画像を複数同時に表示してユーザに選択させるようにしたのでユーザが色補正を行なうのに要する時間を大幅に短縮することができる。さらに、パラメータの異なる各画像の位置を重複させて表示するようにしたので、画像を表示するための画面領域を節約することができ、各画像間の境界の差がわかりやすいという利点がある。
【００８０】
上記した実施形態によれば、ユーザがキーボード等を操作して外部から指令を与えることなしに電源がＯＮされてから僅かな時間でメモリカード２やディジタルカメラ１に記録された画像を表示することができる。また、リモコン３を操作することにより簡単な操作で画像の編集や保存、さらには印刷を行なうことができる。また、大容量記憶装置としての電子アルバム装置５を接続可能としたので、画像保存時の容量単価が安価になるとともに、画像の品質の劣化を招くことなしに長期間の保存が可能となる。
【図面の簡単な説明】
【００８１】
【図１】本発明のディジタル画像編集装置を適用したディジタル画像編集システムの構成を示す図である。
【図２】図１に示すディジタル画像編集装置の外観斜視図である。
【図３】ディジタル画像編集装置の内部構成を示す機能ブロック図である。
【図４】メモリカードまたはＭＯディスクに記録された画像データが読み出されてテレビの画面に表示されるまでの過程を示す図である。
【図５】リモコンに設けられた各種のボタンを示す図である。
【図６】リモコンをテレビ操作用のリモコンの裏面に両面テープなどにより貼り合わせた状態を示す図である。
【図７】（Ａ）はディジタル画像編集装置の動作フローチャートであり、（Ｂ）は電源オン時の初期画面としてのアイコン表示を示す図である。
【図８】図７中のディジタルカメラ処理又はメモリカード処理の詳細を示すフローチャートである。
【図９】（Ａ）乃至（Ｄ）はそれぞれ表示例を示す図である。
【図１０】図８中のリモコン操作処理１を説明するためのフローチャートである。
【図１１】（Ａ）は図１０中のメニュー処理１のフローチャートであり、（Ｂ）は図１２中のメニュー処理２のフローチャートである。
【図１２】図８中のリモコン操作処理２を説明するためのフローチャートである。
【図１３】図７中のＭＯ処理の詳細を示すフローチャートである。
【図１４】（Ａ）及び（Ｂ）はそれぞれＭＯ処理中の表示例を示す図であり、（Ｃ）は図１３中のメニュー選択処理を説明するためのフローチャートである。
【図１５】テレビ画面に表示された画像に対する色補正処理について説明するためのブロック図である。
【図１６】全画面表示の手順を説明するためのフローチャートである。
【図１７】色見本描画処理の詳細を説明するためのフローチャートである。
【図１８】パラメータの異なる５つの画像を同時に表示したようすを示す図である。
【図１９】パラメータを画像ファイルに記録する方法について説明するための図である。
【図２０】色選択処理の詳細を説明するためのフローチャートである。
【符号の説明】
【００８２】
１…ディジタルカメラ
２…メモリカード
３…リモコン
４…テレビ
５…電子アルバム装置
６…プリンタ
７…ディジタル画像編集装置
３４…ＣＰＵ
３５…ＲＯＭ
３６…ＪＰＥＧ伸長ＩＣ
３７…ＲＡＭ
３８…メモリカードインタフェース
３９…ＳＣＳＩコントローラ
４０…ビデオコントローラ
１００…ＭＯディスク
１０１…ＪＰＥＧ伸長部
１０２…色フォーマット変換部
１０３…色補正部
１０４…ビデオコントローラ
１０５…色変換パラメータテーブル
１０６…テレビ
【図１】
2006085694.tif 000003
【図２】
2006085694.tif 000004
【図３】
2006085694.tif 000005
【図４】
2006085694.tif 000006
【図５】
2006085694.tif 000007
【図６】
2006085694.tif 000008
【図７】
2006085694.tif 000009
【図８】
2006085694.tif 000010
【図９】
2006085694.tif 000011
【図１０】
2006085694.tif 000012
【図１１】
2006085694.tif 000013
【図１２】
2006085694.tif 000014
【図１３】
2006085694.tif 000015
【図１４】
2006085694.tif 000016
【図１５】
2006085694.tif 000017
【図１６】
2006085694.tif 000018
【図１７】
2006085694.tif 000019
【図１８】
2006085694.tif 000020
【図１９】
2006085694.tif 000021
【図２０】
2006085694.tif 000022